(57)【要約】【課題】本発明は上記問題点に鑑みて発明したものであって、使用者の体型に柔軟に対応可能なオットマンを有するマッサージ機を提供することを、課題とする。【解決手段】本発明は、使用者が着座する座部１と、座部１に着座した使用者の脚部を保持するオットマン２とを具備するマッサージ機である。上記オットマン２は、使用者の脚部のうち下腿部分を保持する下腿保持部Ａと、使用者の脚部のうち足先部分を保持する足先保持部Ｂとを別体に有するものである。下腿保持部Ａおよび足先保持部Ｂは前後スライド自在であるとともに、両方又は一方が独立して回転自在である。【選択図】図１
2010099450.tif 000002
【特許請求の範囲】
【請求項１】
使用者が着座する座部と、座部に着座した使用者の脚部を保持するオットマンとを具備するマッサージ機において、上記オットマンは、使用者の脚部のうち下腿部分を保持する下腿保持部と、使用者の脚部のうち足先部分を保持する足先保持部とを別体に有するものであり、下腿保持部および足先保持部は座部に対して前後スライド自在であるとともに、両方又は一方が独立して回転自在であることを特徴とするマッサージ機。
【請求項２】
座部に対して前後スライド自在なスライドフレームを備え、該スライドフレームに対して、上記オットマンの下腿保持部および足先保持部の両方又は一方を独立して回転自在に支持させたことを特徴とする請求項１に記載のマッサージ機。
【請求項３】
スライドフレームはその前端側に脚を有しているとともに、床面から浮いている上記脚の下面は前方側が後方側よりも高くなっている傾斜面となっていることを特徴とする請求項２に記載のマッサージ機。
【請求項４】
下腿保持部を独立して回転自在に設け、下腿保持部の前方へのスライドと連動して該下腿保持部を回転させる回転駆動手段を備えたことを特徴とする請求項１〜３のいずれか一項に記載のマッサージ機。
【請求項５】
上記回転駆動手段として、下腿保持部と座部をつなぐ連結部材を具備することを特徴とする請求項４に記載のマッサージ機。
【請求項６】
下腿保持部を独立して回転自在に設け、下腿保持部がその下腿保持面を下方に向けるまで回転したときに該下腿保持部が座部下方に収納可能となるように設けたことを特徴とする請求項１〜５のいずれか一項に記載のマッサージ機。
【請求項７】
足先保持部を独立して回転自在に設け、該足先保持部に対してその爪先側が座部に近づく方向に回転付勢力を与える回転付勢手段を備えたことを特徴とする請求項１〜６のいずれか一項に記載のマッサージ機。
【請求項８】
足先保持部はその回転範囲が爪先側が踵側よりも高い状態を保つ範囲内に制限されていることを特徴とする請求項７記載のマッサージ機。
【請求項９】
下腿保持部の使用時に上端側となる部分に、凹状の切り欠き部分を形成してあることを特徴とする請求項１〜７のいずれか一項に記載のマッサージ機。
【請求項１０】
座部に対して前後スライド自在なスライドフレームを備え、該スライドフレームに上記オットマンの下腿保持部および足先保持部を支持させているとともに、上記スライドフレームの前後スライドについて仮固定するロック機構を備えていることを特徴とする請求項１〜９のいずれか一項に記載のマッサージ機。
【請求項１１】
スライドフレームの前後スライドについて複数箇所で仮固定するロック機構を備えていることを特徴とする請求項１０記載のマッサージ機。
【請求項１２】
ロック機構はその仮固定の解除時に前方に向けてバネ付勢されたスライドフレームをいったん後方側に押し戻すものであることを特徴とする請求項１０または請求項１１に記載のマッサージ機。
【請求項１３】
ロック機構は、揺動レバーに設けたストッパと、該ストッパと係合するストッパ受けとからなり、上記ストッパにおけるストッパ受けと係合する係合面は、揺動レバーの回転中心からの距離が異なる押し戻し部を備えていることを特徴とする請求項１２に記載のマッサージ機。
【発明の詳細な説明】
【技術分野】
【０００１】
本発明は、座部とオットマンを備えた椅子型のマッサージ機に関する。
【背景技術】
【０００２】
使用者に対して着座姿勢のままマッサージを施すことのできるマッサージ機として、使用者が着座する座部と、座部に着座した姿勢にある使用者の脚部を保持するオットマンとを備えたものが、従来から利用されている。
【０００３】
ところで、マッサージ機に着座してマッサージを施そうとする使用者の体型は様々である。この体型に対応するため、上記オットマンは、その位置や姿勢を変更可能にすることが望ましい。そこで、オットマンを回転させる技術や、スライドさせる技術が、例えば特許文献１等に提案されている。
【０００４】
しかし、これらの技術はいずれもオットマンを一体に回転させたり、スライドさせたりするものである。したがって、使用者の体型に柔軟に対応するという意味では不十分なものであった。
【先行技術文献】
【特許文献】
【０００５】
【特許文献１】特開２００７−１６７４５９号公報
【発明の概要】
【発明が解決しようとする課題】
【０００６】
本発明は上記問題点に鑑みて発明したものであって、使用者の体型に柔軟に対応可能なオットマンを有するマッサージ機を提供することを、課題とする。
【課題を解決するための手段】
【０００７】
上記課題を解決する本発明は、使用者が着座する座部１と、座部１に着座した使用者の脚部を保持するオットマン２とを具備するマッサージ機である。上記オットマン２は、使用者の脚部のうち下腿部分を保持する下腿保持部Ａと、使用者の脚部のうち足先部分を保持する足先保持部Ｂとを別体に有するものである。下腿保持部Ａおよび足先保持部Ｂは前後スライド自在であるとともに、両方又は一方が独立して回転自在である。
【０００８】
このようにすることで、使用者の体型に応じて下腿保持部Ａと足先保持部Ｂを前後スライドさせ、更に、下腿保持部Ａと足先保持部Ｂの少なくとも一方を独立回転させるといったことにより、使用者がどのような体型であってもフィットするように、オットマン２全体を柔軟に対応させることができる。
【０００９】
本発明のマッサージ機においては、座部１に対して前後スライド自在なスライドフレーム１４を備え、該スライドフレーム１４に対して、上記オットマン２の下腿保持部Ａおよび足先保持部Ｂの両方又は一方を独立して回転自在に支持させることが好ましい。このようにすることで、スライドフレーム１４によって下腿保持部Ａと足先保持部Ｂを確実に支持したうえで、下腿保持部Ａと足先保持部Ｂの前後スライドと独立回転を、ともに実現することができる。
【００１０】
上記スライドフレーム１４はその前端側に脚１４０を有しているとともに、床面から浮いている上記脚１４０の下面は前方側が後方側よりも高くなっている傾斜面となっていると、オットマン２に過大な荷重がかかったときのスライドフレーム１４の損傷を防止することができる上に、脚１４０が接地する床面に傷が付くのを防ぐことができる。
【００１１】
また、下腿保持部Ａを独立して回転自在に設け、下腿保持部Ａの前方へのスライドと連動して該下腿保持部Ａを回転させる回転駆動手段２２を備えることも好ましい。このようにすることで、下腿保持部Ａのスライドと回転を速やかに実現することができる。
【００１２】
更に、上記回転駆動手段２２として、下腿保持部Ａと座部１をつなぐ連結部材２３を具備することも好ましい。このようにすることで、下腿保持部Ａと座部１をつなぐといったシンプルな構成により、下腿保持部Ａのスライドに連動する該下腿保持部Ａの回転運動を確実に実現することができる。
【００１３】
また、下腿保持部Ａを独立して回転自在に設け、下腿保持部Ａがその下腿保持面５を下方に向けるまで回転したときに該下腿保持部Ａが座部１下方に収納可能となるように設けることも好ましい。このようにすることで、下腿保持部Ａを座部１下方にコンパクトに収納することができる。しかも、下腿保持部Ａは使用時に前方を向いていた下腿保持面５を下方に向けるように回転しながら座部１下方に移動していくことになるので、大きなスペースを要することなく円滑に且つ速やかに収納されることになる。
【００１４】
また、足先保持部Ｂを独立して回転自在に設け、該足先保持部Ｂに対してその爪先側が座部１に近づく方向に回転付勢力を与える回転付勢手段２４を備えることも好ましい。このようにすることで、使用者が足先保持部Ｂに足裏を当てて押し出すだけで、足先保持部Ｂの角度を使用者の足首に好適にフィットさせることができる。
【００１５】
上記回転自在な足先保持部Ｂはその回転範囲が爪先側が踵側よりも高い状態を保つ範囲内に制限されていると、足先保持部Ｂを足で押してスライドさせることが容易となる。
【００１６】
また、下腿保持部Ａの使用時に上端側となる部分に、凹状の切り欠き部分１０を形成してあることも好ましい。このようにすることで、使用者のふくらはぎ部分が下腿保持部Ａに当たって不快感を与えることが防止される。
【００１７】
更に、座部１に対して前後スライド自在なスライドフレーム１４を備え、該スライドフレーム１４に上記オットマン２の下腿保持部Ａおよび足先保持部Ｂを支持させているとともに、上記スライドフレーム１４の前後スライドについて仮固定するロック機構３０を備えていることが好ましい。オットマン２が不用意にスライドしてしまうことを防ぐことができる。
【００１８】
特にスライドフレーム１４の前後スライドについて複数箇所で仮固定するロック機構３０を備えていると、スライドフレーム１４及びオットマン２を使用者の好みの位置で仮固定することができるものとなる。
【００１９】
そして、上記ロック機構３０はその仮固定の解除時に前方に向けてバネ付勢されたスライドフレーム１４をいったん後方側に押し戻すものであると、スライドフレームのスムーズなスライド動作を得やすくなる上に、仮固定が不用意に解除されてしまうことがなくなる。
【００２０】
また、ロック機構は、揺動レバーに設けたストッパと、該ストッパと係合するストッパ受けとからなり、上記ストッパにおけるストッパ受けと係合する係合面は、揺動レバーの回転中心からの距離が異なる押し戻し部を備えていると、上記押し戻し動作を簡便に得ることができる。
【発明の効果】
【００２１】
請求項１に係る発明は、使用者が大柄な場合や小柄な場合であっても、オットマン全体を柔軟に対応させて使用者の脚部にフィットさせることができるという効果を奏する。
【００２２】
また請求項２に係る発明は、請求項１に係る発明の効果に加えて、スライドフレームによって下腿保持部と足先保持部を確実に支持させたうえで、このスライドフレームを介して、下腿保持部と足先保持部の前後スライドと独立回転をともに実現することができるという効果を奏する。
【００２３】
また請求項３に係る発明は、請求項２に係る発明の効果に加えて、オットマンに過大な荷重がかかったときのスライドフレームの損傷を脚の接地によって防止することができる上に、脚が接地する床面に傷が付くのを防ぐことができるという効果を奏する。
【００２４】
また請求項４に係る発明は、請求項１又は２に係る発明の効果に加えて、下腿保持部の回転運動を、該下腿保持部の前方へのスライド運動と連動させることができるという効果を奏する。
【００２５】
また請求項５に係る発明は、請求項４に係る発明の効果に加えて、下腿保持部と座部を連結部材でつなぐといったシンプルな構成により、下腿保持部のスライドに連動した回転運動を確実に実現することができるという効果を奏する。
【００２６】
また請求項６に係る発明は、請求項１〜５のいずれか一項に係る発明の効果に加えて、下腿保持部を、大きなスペースを要することなく円滑に且つ速やかに、座部下方に収納することができるという効果を奏する。
【００２７】
また請求項７に係る発明は、請求項１〜６のいずれか一項に係る発明の効果に加えて、足先保持部は爪先側が踵側よりも高い状態を保つために足先保持部を足で押してスライドさせることが容易となるという効果を奏する。
【００２８】
また、請求項８に係る発明は、請求項７に係る発明の効果に加えて、足裏で押し出すだけで、足先保持部の角度を使用者の足首に好適にフィットさせることができるという効果を奏する。
【００２９】
また請求項９に係る発明は、請求項１〜７のいずれか一項に係る発明の効果に加えて、使用者に下腿保持部が当たって不快感を与えることを防止し、快適なマッサージを実現することができるという効果を奏す る。
【００３０】
更に、請求項１０に係る発明は、請求項１〜９のいずれか一項に係る発明の効果に加えて、ロック機構によりオットマンが不用意にスライドしてしまうことを防ぐことができるという効果を奏する。
【００３１】
そして請求項１１に係る発明は、請求項１０に係る発明の効果に加えて、スライドフレーム及びオットマンを座部の下方に納めた状態、使用位置、等の複数箇所で仮固定することができるために、使い勝手が更に良好となるという効果を奏する。
【００３２】
また請求項１２に係る発明は、請求項１０または請求項１１に係る発明の効果に加えて、前方に向けてバネ付勢されたスライドフレームをいったん後方側に押し戻して仮固定を解除するために、スライドフレームのスムーズなスライド動作を得やすくなると同時に、仮固定が不用意に解除されてしまうことがなくなって安全性が向上するという効果を奏する。
【００３３】
また、請求項１３に係る発明は、請求項１２に係る発明の効果に加えて、ストッパにおけるストッパ受けと係合する係合面の形状設定だけで、上記押し戻し動作を簡便に得ることができるという効果を奏する。
【図面の簡単な説明】
【００３４】
【図１】本発明の実施形態における一例のマッサージ機の側面図であり、(a)はオットマン収納時、(b)オットマン突出時、(c)はオットマン使用時を示している。
【図２】同上のマッサージ機のオットマン収納時の全体斜視図である。
【図３】同上のマッサージ機のオットマン突出時の要部斜視図である。
【図４】同上のマッサージ機のオットマン使用時の要部斜視図である。
【図５】同上のマッサージ機のオットマン収納時のフレーム構造を示す全体斜視図である。
【図６】同上の要部側面図である。
【図７】同上のマッサージ機のオットマン使用時のフレーム構造を示す全体側面図である。
【図８】同上の要部斜視図である。
【図９】同上のマッサージ機を前後方向中央部で切断した正面断面図である。
【図１０】同上のマッサージ機に備えるロック機構を示す要部斜視図である。
【図１１】同上の他例におけるロック機構の側面図である。
【図１２】同上のロック機構の仮固定解除時の動作を示す側面図であり、(a)は仮固定状態、(b)は解除時、(c)は解除完了時を示している。
【図１３】同上のロック機構の更に他例の側面図であり、(a)は一段目の仮固定時、(b)は二段目の仮固定時を示している。
【図１４】同上のロック機構の別の例の側面図である。
【図１５】同上のスライドレール先端に脚を設けた例を示しており、(a)は側面図、(b)は脚の拡大側面図である。
【図１６】同上の脚が接地した状態を示す側面図である。
【図１７】本発明の他の実施形態における一例のマッサージ機の要部を示し、(a)は斜視図、(b)は側面図である。
【図１８】本発明の別の実施形態における一例のマッサージ機の要部を示す側面図である。
【発明を実施するための形態】
【００３５】
本発明を添付図面に示す実施形態に基づいて説明する。図１〜図４には本発明の実施形態における一例のマッサージ機の外観を示しており、図５〜図１０には、一例のマッサージ機のフレーム構造を示している。以下、まず図１〜図４に示す一例のマッサージ機の基本的な構成やその挙動について説明し、次いで、図５〜図１０に示す特徴部分の具体的な構造について詳述する。
【００３６】
図１〜図４に示すように、一例のマッサージ機は椅子型（ソファー型）のものであって、使用者（図示せず）が着座する座部１と、座部１に着座した姿勢にある使用者の左右両脚部を保持するオットマン２と、着座姿勢にある使用者が背中をもたれ掛ける背もたれ部３と、着座姿勢にある使用者が肘先部分を置くことのできる左右の肘かけ部４とを備えている。本文中で用いる前後、左右等の各方向は、着座姿勢にある使用者からみた方向を基準とする。
【００３７】
一例のマッサージ機には、着座姿勢にある使用者にマッサージを施すための施療手段が備えてある。上記施療手段は図示していないが、例えば背もたれ部３に配置した施療子等を駆動させて使用者の肩、背、腰等にマッサージを施す構造のものや、座部１に配置したエアバッグ等を駆動させて使用者の臀部にマッサージを施す構造のものや、オットマン２に配置したエアバッグ等を駆動させて使用者の脚部にマッサージを施す構造のものが、好適に用いられる。勿論、他の構造の施療手段を備えてもよい。
【００３８】
本発明において上記オットマン２は、使用者の脚部のうち、下腿部分を保持するための下腿保持面５を有する下腿保持部Ａと、足先部分を保持するための足先保持面６を有する足先保持部Ｂとを、別体に設けたものである。ここでの「下腿部分」は膝から足首までの部分を意味し、「足先部分」は足首から先の部分を意味する。
【００３９】
図４に示すように、下腿保持部Ａは、下腿部分の裏側（ふくらはぎ）が当たる下腿保持面５を左右に一対設けたものである。下腿保持部Ａにおいて左右の下腿保持面５に挟まれる部分からは隔壁７を立設し、左右の下腿保持面５の外方の端部からはそれぞれ外壁８を立設している。隔壁７と外壁８はともに下腿保持面５の向く方向に立設している。したがって、隔壁７と外壁８とに挟まれる下腿保持面５は、下腿保持部Ａに設けた左右一対の凹溝の底面のような形状となっている。言い換えると、下腿保持部Ａは全体として、下腿保持面５を有する基板部分から隔壁７と外壁８をＥ字状に立設した外形となっている。
【００４０】
また、下腿保持部Ａにおいて、図４に示すように使用時に上端側となる部分には、左右一対の切り欠き部分１０を凹状に形成してある。切り欠き部分１０は、左右の下腿保持面５の上端側を切り欠くように設けており、切り欠き部分１０を設けたことで、隔壁７や外壁８に比べて下腿保持面５の上端の位置を低くしている。
【００４１】
足先保持部Ｂは、左右両側の足先部分の足裏が当たるように足先保持面６を設け、該足先保持面６の左右両端側から外壁９を立設したものである。外壁９は足先保持面６が向く方向に立設しており、足先保持部Ｂ全体としては、下腿保持面５を有する基板部分から外壁９をコ字状に立設した外形となっている。
【００４２】
上記構成の下腿保持部Ａと足先保持部Ｂから成るオットマン２は、下腿保持部Ａの一部（使用時に上端側となる部分）が、足先保持部Ｂの左右の外壁９間に収まり、コンパクト化された状態（以下「収納状態」という。）で、座部１の下方空間内に収納される。
【００４３】
図１(a)や図２には、オットマン２を収納状態で座部１下方に隠した様子を示しており、図１(b)や図３には、上記収納状態のままオットマン２を前方に所定距離ｄだけ押し出した様子を示している。図３等に示すように、上記収納状態において、下腿保持部Ａ
はその下腿保持面５を下方に向けた姿勢（以下「下向き姿勢」という）で位置し、足先保持部Ｂはその足先保持面６を後方に向けた姿勢（以下「後ろ向き姿勢」という）で位置する。そして、この下向き姿勢にある下腿保持部Ａの前端部分（使用時に上端側となる部分）を、足先保持部Ｂの左右の外壁９間に収めることで、全体をコンパクト化している。
【００４４】
上記収納状態において、下腿保持部Ａの切り欠き部分１０は該下腿保持部Ａの前端部分に位置し、足先保持部Ｂの両外壁９間に下腿保持部Ａの切り欠き部分１０が位置する配置となる。したがって、上記収納状態のままオットマン２を前方に所定距離ｄだけ押し出すと、図３に示すように切り欠き部分１０が外部に露出することとなる。
【００４５】
そして、図３に示す状態からオットマン２全体を更に前方へと押し出すと、足先保持部Ｂはそのまま前方にスライド移動するのに対して、下腿保持部Ａは、先端部分を上方に持ち上げるように回転し始める（図１(c)中の矢印ａ参照）。下腿保持部Ａは、その下腿保持面５が前斜め上方に向く姿勢（以下「最大回転姿勢」という）となるまで、足先保持部Ｂとは独立して回転可能である。下腿保持部Ａは、最大回転姿勢となった時点で、図１(c)や図４に示すように、その上端部を座部１上面に対して最も近接させる。この最大回転姿勢もしくは該最大回転姿勢の近傍に下腿保持部Ａがあるときに、使用者の左右の下腿部分を下腿保持部Ａの溝部内に嵌め込み、更に左右の足先部分を足先保持部Ｂ上に乗せることで、オットマン２を使用する。
【００４６】
なお、本例のオットマン２においては下腿保持部Ａに限らず、足先保持部Ｂについても独立に回転可能である。足先保持部Ｂは、その爪先側を前方に倒すように回転させることができ（図１(c)の矢印ｂ参照）、足先保持面６を後方に向けた後ろ向き姿勢と、足先保持面６を上方に向けた姿勢（以下「上向き姿勢」という）との間で回転自在になっている。なお、足先保持部Ｂに対しては、該足先保持部Ｂの爪先側が座部１に近づく方向に回転付勢力を与えてあるので、外力を付与しない場合には足先保持部Ｂは後ろ向き姿勢に維持される。
【００４７】
オットマン２を収納させる場合には、オットマン２を座部１下方から引き出す際とは逆の手順による。すなわち、図１(c)や図４に示す使用状態から下腿保持部Ａおよび足先保持部Ｂを後方にスライドさせていくと、最大回転姿勢あるいは該最大回転姿勢の近傍にあった下腿保持部Ａが先端部分を前方に倒すように回転し始める。下腿保持部Ａが下向き姿勢にまで回転すると、この時点で、下腿保持部Ａは図１(b)や図３に示すように足先保持部Ｂと一部嵌合した収納状態に至り、この収納状態のまま後方にスライドすることで、座部１の下方に収納される。
【００４８】
以上、オットマン２を形成する下腿保持部Ａおよび足先保持部Ｂの基本的な形状および挙動について述べた。以下においては、上記挙動を行うように下腿保持部Ａおよび足先保持部Ｂを支持する収納支持機構２７について、図５〜図１０に基づいて更に詳述する。
【００４９】
図５、図７にはマッサージ機全体のフレーム構造を示している。図５に示す状態は、オットマン２を収納状態で座部１下方に収納させた状態であり、図７に示す状態は、オットマン２を最も前方にスライドさせて下腿保持部Ａを最大回転姿勢にまで回転させた状態である。図示のように、座部１を成す座フレーム１１は、その前後左右から下方に向けて延設された支持脚１２を有している。また、上記座フレーム１１に対して、背もたれ部３を成す背もたれフレーム１３を連結させて設けている。
【００５０】
そして、下腿保持部Ａおよび足先保持部Ｂを支持する収納支持機構２７として、オットマン２全体を支持するスライドフレーム１４を支持脚１２に対して前後スライド自在に連結させ、該スライドフレーム１４に対して下腿保持部Ａおよび足先保持部Ｂを左右軸中心に回転自在に連結させている。したがって、下腿保持部Ａおよび足先保持部Ｂは共に座部１に対して前後スライド自在であり、且つ、互いに独立して回転自在である。更に、上記収納支持機構２７は、下腿保持部Ａおよび足先保持部Ｂの前方へのスライドと連動して下腿保持部Ａを回転させる後述の回転駆動手段２２を備えている。
【００５１】
スライドフレーム１４を座部１に対してスライド自在に連結させる機構は、図９に示すようなレール部材１５とコロ部材１６とから成る。レール部材１５は左右で一対を成すように支持脚１２に固定したものであり、コロ部材１６はスライドフレーム１４の左右両側に二つずつ設けたものである。各コロ部材１６は、対応するレール部材１５内に転動自在に配置される。
【００５２】
下腿保持部Ａを成す下腿保持フレーム１７は、スライドフレーム１４の前側部分から上方に延設した左右一対の支持柱１８に対して、回転軸１９を中心として回動自在に連結される。この下腿保持部Ａ用の回転軸１９は、左右方向を軸方向とするように支持柱１８の上端部に設けたものである。また、足先保持部Ｂを成す足先保持フレーム２６は、スライドフレーム１４の前端部分から前方に延設した左右一対の支持柱２０に対して、回転軸２１を中心として回動自在に連結される。この足先保持部Ｂ用の回転軸２１は、左右方向を軸方向とするように支持柱２０の前端部に設けたものである。なお、下腿保持部Ａ用の支持柱１８と足先保持部Ｂ用の支持柱２０とでは、足先保持部Ｂ用の支持柱２０の方が前方に位置するように設けている。そのため、下腿保持部Ａ用の回転軸１９に対して、足先保持部Ｂ用の回転軸２１が前斜め下方に位置するようになっている。
【００５３】
下腿保持部Ａは、特に外力が作用しない場合には下向き姿勢を維持するようにその全体の重心の位置を設置している。この下腿保持部Ａを下向き姿勢から回転させるための回転駆動手段２２は、座フレーム１１と下腿保持フレーム１７とをつなぐように配置した連結部材２３である。連結部材２３は、可撓性を有する紐状の部材から成る。
【００５４】
下腿保持フレーム１７に対して連結部材２３の一端側が固定される箇所は、下腿保持部Ａが下向き姿勢にあるときの下腿保持フレーム１７において、回転軸１９よりも前側となる箇所である（図６参照）。また、連結部材２３の一端側が下腿保持フレーム１７に固定される箇所は、連結部材２３の他端側が座フレーム１１に固定される箇所と比較して前斜め下方に位置するように設けている。
【００５５】
オットマン２が座部１下方に収納されるときには、連結部材２３は撓んだ状態にあり、オットマン２全体が所定距離ｄだけ突出するようにスライドフレーム１４を前方に押し出した時点で、連結部材２３は前後方向に張った状態になる。ここで更にスライドフレーム１４を押し出すと、連結部材２３に働く張力が下腿保持フレーム１７（即ち下腿保持部Ａ全体）を回転させるように働く。そして、スライドフレーム１４を最も前方にまで押し出した時点で、下腿保持部Ａは最大回転姿勢に至る（図７、図８参照）。
【００５６】
足先保持部Ｂには、該足先保持部Ｂに対して回転付勢力を与える回転付勢手段２４として、回転軸２１にねじりコイルバネ２５を配置している。このねじりコイルバネ２５は、足先保持フレーム２６（即ち足先保持部Ｂ全体）に対して、その爪先側を座部１に近ける方向に回転付勢力を与えるものである。したがって、足先保持部Ｂが有する足先保持面６を足裏で押し出すと、該足先保持部Ｂは爪先側を前方に倒すように回転し、足裏を引き戻せば、これに伴って足先保持部Ｂは爪先側を起こすように復帰する。
【００５７】
更に、一例のマッサージ機は、座部１下方の収納位置に上記オットマン２を仮固定するためのロック機構３０と、該ロック機構３０による仮固定を解除する解除機構３１と、上記オットマン２を収納位置から所定距離ｄだけ前方に押し出すための付勢手段３２とを備えている。
【００５８】
ロック機構３０は、図１０に示すように、座フレーム１１と連結するレール部材１５側に設けてあるストッパ３３と、オットマン２と連結するスライドフレーム１４側に固定してあるストッパ受け３４とから成る。ストッパ３３は、揺動アーム３５を介してレール部材１５に取り付けられており、揺動アーム３５の揺動によって、ストッパ受け３４に当たる下方位置と、ストッパ受け３４には当たらない上方位置との間で、切替自在になっている。なお、揺動アーム３５は、ストッパ３３を下方位置に保持するようにねじりコイルバネによってバネ付勢されている。
【００５９】
解除機構３１は、上記揺動アーム３５と、座フレーム１１に設置されるレバー３６と、レバー３６および揺動アーム３５をつなぐ線材３７とから成る。レバー３６の操作部３８を上方に引っ張り上げると、線材３７を介して揺動アーム３５が所定方向に揺動し、ストッパ３３をストッパ受け３４とは当たらない上方位置に移動させる。
【００６０】
付勢手段３２は、レール部材１５とスライドフレーム１４との間に介在する引っ張りコイルバネ３９から成る。引っ張りコイルバネ３９は、スライドフレーム１４が座部１下方の収納位置にあるときには該スライドフレーム１４に前方への付勢力を与える。スライドフレーム１４が上記所定距離ｄだけ前方に移動したときに、引っ張りコイルバネ３９の与える付勢力は、スライドフレーム１４の前進に対して大きな影響を与えない程度となる。
【００６１】
オットマン２が収納位置にあるときには、ストッパ３３をストッパ受け３４に係合させることで引っ張りコイルバネ３９の付勢によるスライドフレーム１４の移動を禁止させている。オットマン２を使用するときには、レバー３６を操作してストッパ３３を持ち上げ、ストッパ受け３４との係合を解除させる。この解除により、引っ張りコイルバネ３９の付勢によってオットマン２全体が所定距離ｄだけ前方に突出する。
【００６２】
上記構成から成る本例のマッサージ機によれば、以下に述べるようにしてオットマン２をセットして使用し、使用後は手軽に且つコンパクトに収納させておくことができる。
【００６３】
まず、使用者は使用に際し、オットマン２を収納させた状態のマッサージ機の座部１上に着座する。座部１の側方からは、レバー３６の操作部３８と連結した引張り部材４０（図２等参照）を露出させており、この引張り部材４０を上方に引っ張ることでストッパ３３による仮固定を解除し、引っ張りコイルバネ３９の付勢力によってオットマン２全体を所定距離ｄだけ前方に押し出させる。このとき、下腿保持部Ａの先端部分に設けてある切り欠き部分１０が図３に示すように露出する。使用者は左右両側の切り欠き部分１０を通じて足先部分を上方から挿入し、挿入した足先部分の足裏を、足先保持部Ｂの足先保持面６に押し当てる。このとき、足先保持部Ｂは足で押されることで前方に回転し（図１(c)の矢印ｂ参照）、使用者の足首の角度にフィットするように変位する。
【００６４】
ここで、使用者がそのまま足裏を前方に押し出すと、スライドフレーム１４を介して下腿保持部Ａと足先保持部Ｂは共に前進する。下腿保持部Ａについては、途中から連結部材２３によって先端側が座部１側に引っ張られることで回転駆動力を付与され、先端部分を上方に持ち上げるように回転してセットされる（図１(c)中の矢印ａ参照）。下腿保持部Ａは、座部１の前端部分を迂回するように下方から回転してセットされるので、使用者の脚部に当たることなく、また大きなスペースを要することもなく、使用状態まで円滑にセットされる。
【００６５】
下腿保持部Ａに設けてある凹状の切り欠き部分１０は、使用時には下腿保持部Ａの上端側に位置することとなる。この切り欠き部分１０によって、使用者のふくらはぎ部分が下腿保持部Ａに当たって不快感を与えることも防止される。
【００６６】
そして、使用者は図４のようにオットマン２の下腿保持部Ａをセットし、足先保持部Ｂを図４に示す状態から更に自身の足裏にフィットする角度まで回転させた状態で、例えば下腿保持部Ａや足先保持部Ｂに配置したエアバッグ等の適宜の施療手段によって、脚部にマッサージを施すことができる。このとき、使用者の体型に合わせて下腿保持部Ａや足先保持部Ｂの姿勢や位置は容易に変更できるので、使用者がどのような体型であっても良好なマッサージが提供される。
【００６７】
例えば、使用者が小柄である場合には、足先保持部Ｂは最も前方にまでは押し出されることがなく、更に、足先保持部Ｂの押し出しに連動して回転する下腿保持部Ａについても、最大回転姿勢までは回転されることがない。つまり、足先保持部Ｂの足先保持面６は座部１に比較的近く、下腿保持部Ａの下腿保持面５は大きく後方に傾倒することのない角度に保持される。したがって、小柄な使用者に対しても良好にフィットする。
【００６８】
一方、使用者が大柄である場合には、足先保持部Ｂを最も前方にまで押し出すことで、下腿保持部Ａについても最大回転姿勢まで回転させることができる。つまり、足先保持部Ｂの足先保持面６は座部１から離れて位置させることができ、下腿保持部Ａの下腿保持面５は最も大きく後方に傾倒した角度に保持できる。したがって、大柄な使用者に対しても良好にフィットする。
【００６９】
オットマン２の使用を終えて収納しようとする場合にも、使用者は脚部のみの操作で、容易に座部１下方に収納させることができる。具体的には、まず使用者が足先保持部Ｂの足先保持面６から足裏を離し、足先保持部Ｂを後ろ向き姿勢に復帰させる。ここで、後ろ向き姿勢にある足先保持部Ｂの前面（即ち、足先保持面６と反対側に形成される平坦面）に対して使用者が自らの脚部の踵側を押し当て、そのまま後方へと足先保持部Ｂを押し込む。すると、スライドフレーム１４と下腿保持部Ａは共に後方に押し込まれてゆく。このとき、連結部材２３による強制的な回転が解除されることで、下腿保持部Ａは自重により回転して下向き姿勢に復帰し、オットマン２全体が図２に示すような収納状態に戻る。
【００７０】
ここから更に、引っ張りコイルバネ３９の付勢力に抗しながら踵部分で足先保持部Ｂを後方に押し込むと、ストッパ３３がスライドフレーム１４側に設けたストッパ受け３４に一旦乗り上げた後に該ストッパ受け３４と係合し、座部１下方の収納位置にてオットマン２全体を仮固定させる。座部１下方で仮固定されたオットマン２は、下腿保持部Ａの前方に蓋をするように足先保持部Ｂが位置し、この足先保持部Ｂの平坦な前面部分のみが前方から視認可能となる。したがって、マッサージ機全体のデザイン性が良好に保持される。
【００７１】
図１１及び図１２に上記ストッパ３３とストッパ受け３４の他例を示す。ストッパ３３のストッパ受け３４との係合面は、ストッパ３３を先端に備える揺動アーム３５の回転軸３５０からの距離が上端側と下端側とで異なっており、図１１に示すように上端側の距離Ｒａよりも下端側の距離Ｒｂの方を長くしてある。また、ストッパ受け３４におけるストッパ３３との係合面は、上部側でストッパ３３に当接するようにしている。
【００７２】
このために図１１に示すストッパ３３とストッパ受け３４との係合状態から揺動レバー３５を回動させてストッパ３３を引き上げることで上記係合を解除する時、図１２(b)に示すようにストッパ３３は上記の距離Ｒａ，Ｒｂの差（Ｒｂ−Ｒａ）だけストッパ受け３４をいったん後方側に押し戻す。この動きは、スライドフレーム１４とこのスライドフレーム１４を前後にスライド自在に支持するレール部材１５との間に「こじれ」が発生していても、これを解消して引っ張りコイルばね３９の付勢力によるスライドフレーム１４及びオットマン２の前方への移動をスムーズに行わせる。
【００７３】
また、引っ張りコイルバネ３９に抗してスライドフレーム１４を後退させないことにはストッパ３３とストッパ受け３４との係合が外れないことになるために、ロック機構３０の信頼性が高くなり、持ち運ぶ際にオットマン２が不用意に飛び出してしまうような事態を招くこともなくなる。
【００７４】
なお、本例における上記引っ張りコイルばね３９の後端とスライドフレーム１４の後端との連結位置を、引っ張りコイルばね３９の前端とレール部材１５との連結位置よりも下方側に下げているのも、スライドフレーム１４のスムーズな前後スライド動作を確保するためである。
【００７５】
なお、ストッパ３３とストッパ受け３４とによるスライドフレーム１４及びオットマン２の前後スライドについての仮固定は、前後スライド方向において複数箇所で行うことができるようにしてもよい。例えば、図１３に示すように複数のストッパ受け３４をスライドフレーム１４上に前後方向において間隔をおいて設けたり、図１４に示すように、ストッパ３３との係合面が階段状に複数箇所設けられているストッパ３４受けを用いるのである。前者の場合、解除操作の時間に応じて、オットマン２のスライド量を調整することができ、後者の場合、解除操作量に応じてオットマン２のスライド量を調整することができる。
【００７６】
このようにすることにより、引っ張りコイルバネ３９による付勢でオットマン２が出てくる勢いを抑えたり、オットマン２を後方へ押し戻して座部１の下方に位置させるにあたって、引っ張りコイルバネ３９の付勢に抗して押し戻す動作を一気にやらなくてもすむようになるほか、オットマン２を押し出して使用する時のオットマン２の前後位置のふらつきを抑えたりすることができる。
【００７７】
上記の例ではストッパ３３を備えた揺動レバー３５をレール部材１５側に、ストッパ受け３４をスライドフレーム１４側に設けているが、ストッパ３３をスライドフレーム１４側に、ストッパ受け３４をレール部材１５側に設けてもよい。
【００７８】
ところで、オットマン２が設けられたスライドフレーム１４の前端部は、オットマン２の使用時にはレール部材１５の前端よりも前方に大きく突出することになり、この状態で例えば足先保持部Ｂ上に子供が乗ったりすれば、スライドフレーム１４先端に大きな負荷がかかることになる。この点については、図１５に示すように、スライドフレーム１４の前端から下方に向けて脚１４０を設けておくことが好ましい。
【００７９】
床面との間隔が僅少である上記脚１４０は、オットマン２の前後スライド動作に際しては床面に脚１４０が接しないために、上記前後スライド動作の妨げになることはなく、しかもオットマン２に大きな荷重がかかった時、図１６に示すように床面に接して上記荷重を床面に逃がすために、スライドフレーム１４が破損することを防ぐとともに、上記前後スライド動作が不調になってしまうことを防ぐ。
【００８０】
この時、上記脚１４０の下面は、前端側が後端側よりも少しだけ高くなる傾斜βを有するものとなっているために、オットマン２に荷重がかかって前方側の支持脚１２を中心に椅子全体が回動するようにして脚１４０の下面が床面に接する時、脚１４０の下面が面で床面に接する。つまり、脚１４０と床面との接触面積が広い状態となっていることから、床面が脚１４０で傷つくことを防止することができる。
【００８１】
図１３〜図１６に示した各例では、オットマン２における足先保持部Ｂの回転角度の規制を最初に示した例のものよりも大きくして、爪先側が踵側よりも上方に位置する図示の角度（図１５中のα）よりも爪先側が下方に下がることがないようにしている。これは足先保持部Ｂに足裏を載せた状態で足先保持部Ｂを前方側へと足先で押し出す際に、足からの力が足先保持部Ｂに加わりやすいようにしているためである。
【００８２】
次に、本発明の他の実施形態における一例のマッサージ機について、図１７に基づいて説明する。なお、基本的な構成は上記した構成と同様であるから、相違する特徴的な構成についてのみ以下に詳述する。
【００８３】
このマッサージ機は、オットマン２を成す下腿保持部Ａおよび足先保持部Ｂのうち、下腿保持部Ａ側のみが独立して回転自在である点において、先の例とは相違している。図１１に示すように、足先保持部Ｂは、足先保持面６側が上方を向くように形成した足先保持板５０と、該足先保持板５０の前端部から上方に延設した前板５１とから成る側面視Ｌ字状のものである。足先保持板５０の後部には支持柱１８を立設しており、該支持柱１８を介して下腿保持部Ａを回転自在に支持している。足先保持板５０の後端部は、スライドフレーム１４に対して回動不能に固定している。
【００８４】
オットマン２の使用を終えて収納しようとする場合には、使用者は足先保持板５０の足先保持面６から足裏を離したうえで、前板５１の前面に踵を押し当て、そのまま後方へと足先保持部Ｂを押し込んでゆけばよい。オットマン２を収納させたときには、足先保持部Ｂの前板５１が、下向き姿勢にある下腿保持部Ａの前方を覆って隠すように機能する。
【００８５】
上記構成から成る他例のマッサージ機においても、オットマン２を容易にセットして使用し、使用後は手軽に且つコンパクトに収納させておくことができ、デザイン性についても優れたものとなる。
【００８６】
次に、本発明の更に他の実施形態の一例について、図１８に基づいて説明する。なお、基本的な構成は上記した各例と同様であるから、相違する特徴的な構成についてのみ以下に詳述すると、オットマン２を成す下腿保持部Ａおよび足先保持部Ｂのうち、足先保持部Ｂ側のみが独立して回転自在である点において、先の例と相違している。
【００８７】
図に示すように、足先保持部Ｂは、足先保持面６を有する足先保持板６０と、該足先保持板６０の先端部から直交方向に延設した足乗せ板６１とから成る側面視Ｌ字状のものである。足先保持板６０はその足先保持面６を後方に向けた図示の後ろ向き姿勢と、足先保持面６を上方に向けた上向き姿勢との間で回転自在になっており、足先保持板６０の爪先側が座部１に近づく方向に回転付勢力を与えてある。
【００８８】
そのため、外力を付与しない場合には足先保持板６０は後ろ向き姿勢に維持される。この後ろ向き姿勢のとき、足先保持部Ｂの足載せ板６１が下腿保持部Ａの上方を覆い、上向き姿勢のときに、足先保持部Ｂの足載せ板６１が下腿保持部Ａの前方を覆うように位置する。したがって、通常は下腿保持部Ａの上方を覆う足載せ板６１を足載せ台として利用し、オットマン２として利用したい場合には足先保持部Ｂを前方に回転させればよい。足先保持部Ｂが前方に回転すると、足先保持面６が上方を向いた姿勢で露出し、足載せ板６１で隠れていた下腿保持部Ａが出現する。
【００８９】
下腿保持部Ａは、スライドフレーム１４に対して回動不能に固定している。したがって、別例においては、連結部材２３から成る回転駆動手段２２も備えていない。
【００９０】
なお、上記した各例のマッサージ機において、スライドフレーム１４の前後スライドや、下腿保持部Ａや足先保持部Ｂの回転を電動で行う構造としてもよい。その他の構成についても、本発明の主旨を逸脱しない範囲内であれば適宜に設計変更可能である。
【符号の説明】
【００９１】
１  座部
２  オットマン
５  下腿保持面
６  足先保持面
１０  切り欠き部分
２２  回転駆動手段
２３  連結部材
２４  回転付勢手段
Ａ  下腿保持部
Ｂ  足先保持部
【図１】
2010099450.tif 000003
【図２】
2010099450.tif 000004
【図３】
2010099450.tif 000005
【図４】
2010099450.tif 000006
【図５】
2010099450.tif 000007
【図６】
2010099450.tif 000008
【図７】
2010099450.tif 000009
【図８】
2010099450.tif 000010
【図９】
2010099450.tif 000011
【図１０】
2010099450.tif 000012
【図１１】
2010099450.tif 000013
【図１２】
2010099450.tif 000014
【図１３】
2010099450.tif 000015
【図１４】
2010099450.tif 000016
【図１５】
2010099450.tif 000017
【図１６】
2010099450.tif 000018
【図１７】
2010099450.tif 000019
【図１８】
2010099450.tif 000020